(57)【要約】【課題】本発明は、香り発生装置に関するもので、室温によらず芳香液を効果的に気化させることを目的とするものである。【解決手段】そしてこの目的を達成するために本発明は、本体ケース１の底面側に設けられた芳香液貯留タンク５と、蒸発皿８を熱するヒータ９と、芳香液貯留タンク５から蒸発皿８に芳香液を輸送させる供給チューブ７とポンプ６とからなる輸送手段と、蒸発した芳香液を拡散させる送風手段と、ポンプ６、ヒータ９および送風手段を駆動させる電源部１１と、を備え、本体ケース１は、芳香液貯留タンク５を有する第一の空間と、この第一の空間の上に設けられ、ヒータ９の底面部が突出され、電源部１１を有する第二の空間と、この第二の空間の上に設けられ、蒸発皿８の天面側が突出され、送風手段を有する第三の空間と、を備え、供給チューブ７が第一の空間、第二の空間、第三の空間を順次経由している。【選択図】図１
2010220810.tif 000002
【特許請求の範囲】
【請求項１】
本体ケースと、
この本体ケースの底面側に設けられた芳香液貯留タンクと、
前記本体ケース内に設けられた蒸発皿と、
この蒸発皿を熱するヒータと、
前記芳香液貯留タンクから前記蒸発皿に芳香液を輸送させるチューブとポンプとからなる輸送手段と、
前記本体ケース天面側に設けられた前記蒸発皿から蒸発した芳香液を拡散させる送風手段と、
前記ポンプ、前記ヒータおよび前記送風手段を駆動させる電源部と、を備え、
前記本体ケースは、
前記芳香液貯留タンクを有する第一の空間と、
この第一の空間の上に設けられ、前記ヒータの底面部が突出され、電源部を有する第二の空間と、
この第二の空間の上に設けられ、前記蒸発皿の天面側が突出され、前記送風手段を有する第三の空間と、を備え、
前記チューブが前記第一の空間、前記第二の空間、前記第三の空間を順次経由している香り発生装置。
【請求項２】
前記第二の空間は、所定の温度に保たれた保温空間である請求項１に記載の香り発生装置。
【請求項３】
前記蒸発皿に吐出される前記芳香液の温度が蒸発皿の温度未満、室温以上である請求項１または請求項２に記載の香り発生装置。
【発明の詳細な説明】
【技術分野】
【０００１】
本発明は、芳香液を熱して芳香剤を蒸発させ、室内に拡散させる香り発生装置に関するものである。
【背景技術】
【０００２】
従来のこの香り発生装置の構成は、以下のようになっていた。
【０００３】
すなわち、外郭を構成する本体ケースと、芳香液を貯留する容器と、前記容器に固定した芳香液を吐出する吐出手段と、前記吐出手段を駆動する駆動手段と、前記吐出手段により吐出させた芳香液を蒸発させる蒸発皿と、前記蒸発皿の底面部を加熱する加熱手段と、前記蒸発皿から蒸発した芳香剤を室内に拡散させる送風手段を備えていた。（例えば下記特許文献１）。
【特許文献１】特開２００８−３６０４７号公報
【発明の開示】
【発明が解決しようとする課題】
【０００４】
上記従来例における課題は、室温によって芳香液を効果的に気化させにくいということであった。
【０００５】
すなわち、蒸発皿に吐出された芳香液の温度は基本的に室温に近く、室温が低い時、吐出された芳香液が蒸発皿の温度を一時的に下げ、気化条件を悪化させてしまうのであった。
【０００６】
つまり、上記従来例においては、芳香液を貯留する容器と芳香液を吐出する吐出手段がほぼ室温と等価な場所に存在しているので、室温が低い時吐出された芳香液も低温となり、蒸発皿の温度を一時的に低下させ、気化条件を悪化させていた。
【０００７】
そこで本発明は、室温によらず芳香液を効果的に気化させることを目的とするものである。
【課題を解決するための手段】
【０００８】
そして、この目的を達成するために本発明は、本体ケースと、この本体ケースの底面側に設けられた芳香液貯留タンクと、前記本体ケース内に設けられた蒸発皿と、この蒸発皿を熱するヒータと、前記芳香液貯留タンクから前記蒸発皿に芳香液を輸送させるチューブとポンプとからなる輸送手段と、前記本体ケース天面側に設けられた前記蒸発皿から蒸発した芳香液を拡散させる送風手段と、前記ポンプ、前記ヒータおよび前記送風手段を駆動させる電源部と、を備え、前記本体ケースは、前記芳香液貯留タンクを有する第一の空間と、この第一の空間の上に設けられ、前記ヒータの底面部が突出され、電源部を有する第二の空間と、この第二の空間の上に設けられ、前記蒸発皿の天面側が突出され、前記送風手段を有する第三の空間と、を備え、前記チューブが前記第一の空間、前記第二の空間、前記第三の空間を順次経由し、これにより所期の目的を達成するものである。
【発明の効果】
【０００９】
以上のように本発明は、本体ケースと、この本体ケースの底面側に設けられた芳香液貯留タンクと、前記本体ケース内に設けられた蒸発皿と、この蒸発皿を熱するヒータと、前記芳香液貯留タンクから前記蒸発皿に芳香液を輸送させるチューブとポンプとからなる輸送手段と、前記本体ケース天面側に設けられた前記蒸発皿から蒸発した芳香液を拡散させる送風手段と、前記ポンプ、前記ヒータおよび前記送風手段を駆動させる電源部と、を備え、前記本体ケースは、前記芳香液貯留タンクを有する第一の空間と、この第一の空間の上に設けられ、前記ヒータの底面部が突出され、電源部を有する第二の空間と、この第二の空間の上に設けられ、前記蒸発皿の天面側が突出され、前記送風手段を有する第三の空間と、を備え、前記チューブが前記第一の空間、前記第二の空間、前記第三の空間を順次経由しているものであるので、室温によらず芳香液を効果的に気化させることができる。
【００１０】
すなわち、本発明においては、芳香液貯留タンクから蒸発皿までに芳香液が輸送される間に、前記蒸発皿の底面部を熱するヒータと電源部を有する第二の空間にてチューブ内の芳香液が温められるので、低温時においても吐出された香料液の温度を低下させなくする事ができる。
【００１１】
つまり、本発明においては、低温時においても吐出される芳香液によって蒸発皿の温度を一時的に低下させることがなく、気化条件を悪化させないので、室温によらず芳香液を効果的に気化させることができるのである。
【発明を実施するための最良の形態】
【００１２】
以下、本発明の一実施形態を、添付図面を用いて説明する。
【００１３】
図１において、１は、箱型の本体ケースで、本体ケースは以下のものより構成されている。
【００１４】
本体ケース１の側面には操作部２が設けられ、３と４は仕切り板であり、本体ケース１の全体を上下方向に３つの空間に分けている。
【００１５】
本体ケース１の底面側である一番下の空間（第一の空間）には芳香液貯留タンク５と廃液タンク１３が設けられ、前記芳香液貯留タンク５には芳香液を汲み出すための供給チューブ７が差し込まれている。本実施形態では５本の供給チューブ７が差し込まれている。
【００１６】
また、上述した第１の空間の上の中間の空間（第二の空間）には芳香液貯留タンク５から供給チューブ７を通じて芳香液を汲み出す駆動力を与えるためのポンプ６と、図２に示す蒸発皿８の底面部と、蒸発皿８の底面部を加熱するためのヒータ９と、制御部１４と、図３に示すＦＡＮ駆動部１６と、電源部１１が設けられ、電源部１１は操作部２、ポンプ６、ヒータ９、制御部１４、ＦＡＮ駆動部１６に対し電力を供給している。
【００１７】
そして、第一の空間内の芳香液貯留タンク５から出た供給チューブ７は第二の空間内に引き込まれ、電源部１１の近傍を経由している。
【００１８】
また、上述した第２の空間の上で、本体ケース１の天面側である一番上の空間（第三の空間）には蒸発皿８の天面部が突出し、図４に示すように、この蒸発皿８の受け部に供給パイプ１７が固定されており、図１に示すように第二の空間を経由した供給チューブ７が引き込まれ、この供給チューブ７の先端を供給パイプ１７に差し込むようになっている。
【００１９】
そして、図５に示すように供給パイプ１７の先端から芳香液を蒸発皿８に滴下させる。滴下された芳香液は図１に示すヒータ９により加熱され、芳香液が蒸発し、気化した芳香液はＦＡＮ１０によって本体ケース１の外側に放出され、室内に拡散される。
【００２０】
更に、図４に示すように蒸発皿８に滴下された芳香液は一定時間内に蒸発、拡散されるが、不揮発成分等が残留物質として蒸発皿に付着、滞留するのを防ぐため、蒸発皿８の端面から廃液パイプ１８を経由して図１に示す廃液チューブ１２を通り、廃液タンク１３に貯留される。この廃液は使用者によって必要に応じて廃棄される。
【００２１】
本実施形態においては、大型店舗等で使用する場合のように、非常に広範囲な空間に対して良好な結果が得られるよう、図２に示すように、蒸発皿８を５個使用し、ポンプ６、供給チューブ７を同じく５組使用している。
【００２２】
次に本発明の香り発生装置の動作を更に詳しく説明する。
【００２３】
図４において、サーミスタ１５は蒸発皿８の底面に取り付けられており、図１に示す制御部１４において約６０度Ｃに保たれるよう制御さていれる。近年、芳香液は消臭効果成分、殺菌効果成分を持ち、更に有機物、界面活性剤等の添加成分を含有することが多く、不揮発成分の含有、揮発温度差の拡大、粘性が高くなることから、常温雰囲気では揮発速度が遅く、十分な拡散が得られないため、約６０度Ｃにて加熱、蒸発される事で良好な特性が得られる事が知られている。
【００２４】
また、室内に拡散させる芳香剤の単位時間の量を可変することで、香りの強度を可変させることが出来るように操作部２にて香りの強度を５段階に設定している。例えば第３段階に設定した時、制御部１４にて、２秒毎にポンプ６を駆動させる。
【００２５】
ポンプ６を１回当たり駆動させる電力を可変する事で１回当たりに汲み上げる芳香液の量を可変することが出来るが、本実施形態では０．０９ｍｌ／１回に設定している。それを２０回、計４０秒かけて汲み上げると同時に蒸発皿８に滴下させている。
【００２６】
その後、６分２０秒待機し、その後同様の動作を繰り返す。強度を上げる時は、待機時間を短くし、強度を下げる時は、待機時間を長くする。
【００２７】
また本実施形態では、供給パイプ１７の内径を３ｍｍ、ポンプ６から供給パイプ１７の先端までの長さを３２０ｍｍとしているため、その間を芳香液が通過するポンプ駆動回数は２５回となる。よって本実施形態においてポンプ６を２０回駆動し、その後一定時間その状態で待機させた場合、前述したように一定時間の待機時間以上ポンプ６から供給パイプ１７の先端間、つまり保温空間である第二の空間内に芳香液は滞留することになり、その間に芳香液は温められることになる。
【００２８】
本実施形態では、保温空間の容量５５ｌ（リットル）、ヒータ９、電源部１１、制御部１４の消費電力３００Wの時、室温に対し約１０度C上昇する事になる。そして芳香液が上記一定時間この空間に滞留することでほぼ同様に室温に対し約１０度C上昇することになる。
【００２９】
よって温められた芳香液を蒸発皿８に滴下させることにより、蒸発皿８の一時的な温度低下を減少させることとなり、気化現象の悪化を防止することができる。
【００３０】
さらに、本実施形態においては、上述のごとく、電源部１１を保温空間に設けているが、通常、電源回路は熱の上昇に弱く温度が上がり過ぎると良くない。しかし、本実施形態では供給チューブ７を電源部１１の近傍を経由させるようにすることで、供給チューブ７を通る芳香液が電源部１１の発生する熱を吸収するようにしている。このため、電源部１１の異常な温度上昇を防ぐことができる。
【００３１】
以上のように本実施形態では、芳香液貯留タンク５から蒸発皿８までに芳香液が輸送される間に、蒸発皿８の底面部を熱するヒータ９と電源部１１を有し、これらによって空間内が保温された保温空間である第二の空間にて供給チューブ７内の芳香液が温められるので、低温時においても吐出された香料液の温度を低下させなくする事ができる。
【００３２】
つまり、本発明においては、低温時においても吐出される芳香液によって蒸発皿８の温度を一時的に低下させることがなく、気化条件を悪化させないので、室温によらず芳香液を効果的に気化させることができるのである。
【００３３】
なお、本実施形態では、ポンプ６が１回当たりに汲み上げる芳香液の量を０．０９ｍｌ／回に設定し、それを２０回、計４０秒かけて汲み上げ、蒸発皿８に滴下させ、その後、６分２０秒待機し、その後同様の動作を繰り返しているが、これに限定されるものではない。所望の香りの強さに応じて、その強度を上げる時は、待機時間を短くし、強度を下げる時は、待機時間を長くすればよい。
【００３４】
また、本実施形態では供給パイプ１７の内径を３ｍｍ、ポンプ６から供給パイプ１７の先端までの長さを３２０ｍｍとし、ポンプ６を２０回駆動しているがこれに限定されるものではない。待機時間に応じて芳香液の温度が保温空間内で所望の温度になるようにポンプ６から供給パイプ１７の先端間、つまり保温空間である第二の空間に芳香液を滞留させるように適宜設定すれば良い。
【産業上の利用可能性】
【００３５】
以上のように本発明は、本体ケースと、この本体ケースの底面側に設けられた芳香液貯留タンクと、前記本体ケース内に設けられた蒸発皿と、この蒸発皿を熱するヒータと、前記芳香液貯留タンクから前記蒸発皿に芳香液を輸送させるチューブとポンプとからなる輸送手段と、前記本体ケース天面側に設けられた前記蒸発皿から蒸発した芳香液を拡散させる送風手段と、前記ポンプ、前記ヒータおよび前記送風手段を駆動させる電源部と、を備え、前記本体ケースは、前記芳香液貯留タンクを有する第一の空間と、この第一の空間の上に設けられ、前記ヒータの底面部が突出され、電源部を有する第二の空間と、この第二の空間の上に設けられ、前記蒸発皿の天面側が突出され、前記送風手段を有する第三の空間と、を備え、前記チューブが前記第一の空間、前記第二の空間、前記第三の空間を順次経由しているものであるので、室温によらず芳香液を効果的に気化させることができる。
【００３６】
すなわち、本発明においては、芳香液貯留タンクから蒸発皿までに芳香液が輸送される間に、前記蒸発皿の底面部を熱するヒータと電源部を有する第二の空間にてチューブ内の芳香液が温められるので、低温時においても吐出された香料液の温度を低下させなくする事ができる。
【００３７】
つまり、本発明においては、低温時においても吐出される芳香液によって蒸発皿の温度を一時的に低下させることがなく、気化条件を悪化させないので、室温によらず芳香液を効果的に気化させることができるのである。
【００３８】
したがって、香り発生装置の効果の維持に貢献し、更なる機器展開への適用が大いに期待されるものである。
【図面の簡単な説明】
【００３９】
【図１】本発明の一実施形態の内部を示す側面図
【図２】同蒸発皿を有する仕切板の外観斜視図
【図３】同ポンプ、電源部を有する仕切板の外観斜視図
【図４】同蒸発皿の下部を示す外観斜視図
【図５】同蒸発皿の上部を示す外観斜視図
【符号の説明】
【００４０】
１  本体ケース
２  操作部
３  仕切板
４  仕切板
５  芳香液貯留タンク
６  ポンプ
７  供給チューブ
８  蒸発皿
９  ヒータ
１０  ＦＡＮ
１１  電源部
１２  廃液チューブ
１３  廃液タンク
１４  制御部
１５  サーミスタ
１６  ＦＡＮ駆動部
１７  供給パイプ
１８  廃液パイプ
【図１】
2010220810.tif 000003
【図２】
2010220810.tif 000004
【図３】
2010220810.tif 000005
【図４】
2010220810.tif 000006
【図５】
2010220810.tif 000007